(57)【要約】【課題】建物の軒先に立てかけた梯子の横ずれ転倒や煽り転倒を効果的に防止できる小型かつ軽量の梯子の転倒防止装置を提供する。【解決手段】梯子Ｌの上端部の上下位置に、梯子面に対して交差する面内で回動可能で梯子面に沿った収納位置から所定の回動位置へ突出させられて位置決め可能な腕部材３Ａ，３Ｂ，３Ｃをそれぞれ設けて、これら腕部材３Ａ〜３Ｃで建物の軒先Ｈを上下から挟むようにする。【選択図】        図３
2008174914.tif 000002
【特許請求の範囲】
【請求項１】
梯子の上端部の上下位置に、梯子面に対して交差する面内で回動可能で梯子面に沿った収納位置から所定の回動位置へ突出し位置決め可能な腕部材をそれぞれ設けて、これら腕部材で建物の軒先を上下から挟むようにしたことを特徴とする梯子の転倒防止装置。  
【請求項２】
上方の前記腕部材を左右位置に各一本設けるとともに、下方の前記腕部材を、上方の前記腕部材の中間の下方位置に一本設けた請求項１に記載の梯子の転倒防止装置。
【発明の詳細な説明】
【技術分野】
【０００１】
本発明は梯子の転倒防止装置に関し、特に建物の軒先に立てかけて使用する際の梯子の転倒を確実に防止できる転倒防止装置に関する。
【背景技術】
【０００２】
梯子を建物の軒先に立てかけて使用する場合には、梯子が軒先の長手方向へ滑る横ずれ転倒や、風による煽り転倒のおそれがある。そこで例えば特許文献１には梯子の下端部に横方向へ張り出す補助脚を設けて横ずれ転倒を防止し、また特許文献２には梯子の下端部に手前側へ張り出す支脚を設けて煽り転倒を防止したものが示されている。  
【特許文献１】特開２００６−６３７７５
【特許文献２】特開２００５−１３９８１２
【発明の開示】
【発明が解決しようとする課題】
【０００３】
しかし上記従来の転倒防止装置はいずれも梯子の下端部に設けるものであるため、梯子荷重による大きな転倒モーメントを受けて梯子の安定を図るために十分な強度を有する必要があり、大型で重量の重いものになるという問題があった。
【０００４】
そこで、本発明はこのような課題を解決するもので、建物の軒先に立てかけた梯子の横ずれ転倒や煽り転倒を効果的に防止できる小型かつ軽量の梯子の転倒防止装置を提供することを目的とする。
【課題を解決するための手段】
【０００５】
上記目的を達成するために、本第１発明では、梯子（Ｌ）の上端部の上下位置に、梯子面に対して交差する面内で回動可能で梯子面に沿った収納位置から所定の回動位置へ突出させられて位置決め可能な腕部材（３Ａ，３Ｂ，３Ｃ）をそれぞれ設けて、これら腕部材（３Ａ〜３Ｃ）で建物の軒先（Ｈ）を上下から挟むようにする。  
【０００６】
本第１発明においては、建物の軒先を腕部材で上下から挟んだことにより、梯子の横ずれ転倒や煽り転倒が確実に防止される。加えて、梯子面に沿って収納可能な腕部材によって転倒防止装置を構成しているから、従来のような補助脚や支脚を設けるのに比して簡易かつ軽量でコンパクトである。
【０００７】
本第２発明では、上方の上記腕部材（３Ａ，３Ｂ）を左右位置に各一本設けるとともに、下方の上記腕部材（３Ｃ）を、上方の腕部材（３Ａ，３Ｂ）の中間の下方位置に一本設ける。本第２発明においては、最小限の腕部材で梯子の安定と確実な転倒防止を図ることができる。
【０００８】
なお、上記カッコ内の符号は、後述する実施形態に記載の具体的手段との対応関係を示すものである。
【発明の効果】
【０００９】
以上のように、本発明の梯子の転倒防止装置によれば、小型かつ軽量の装置によって建物の軒先に立てかけた梯子の横ずれ転倒や煽り転倒を効果的に防止することができる。
【発明を実施するための最良の形態】
【００１０】
図１には本発明の転倒防止装置を付設した梯子の一例を示す。梯子Ｌは二連伸縮式梯子で、下側梯子部１と上側梯子部２より構成されており、下側梯子部１に対して上側梯子部２を上下方向へ相対移動可能としてある。転倒防止装置Ｅは上側梯子部２の上端部に設けてあり、その詳細を図２に示す。図２において、転倒防止装置Ｅは三本の腕部材３Ａ，３Ｂ，３Ｃを備えている。これら腕部材３Ａ〜３Ｃは筒状棒体で、二本の腕部材３Ａ，３Ｂは他の一本の腕部材３Ｃよりも上方に位置しており、腕部材３Ａ，３Ｂの各基端３２は上側梯子部２の左右の柱脚２１，２２にそれぞれ回動可能に結合されている。腕部材３Ｃは腕部材よりも下方位置で、その基端３２が、左右の柱脚２１，２２間に上下方向へ多数架設された踏桟２３の一つの中央に回動可能に結合されている。
【００１１】
すなわち、腕部材３Ａ，３Ｂは基端３２がそれぞれ左右の脚柱２１，２２の内側面に突設された軸体３３に結合されて、梯子面に交差する面内で回動可能となっており、梯子面に沿った収納位置（腕部材３Ｃの状態）から下方ないし上方へ回動させられて梯子Ｌの前方へ突出させる（腕部材３Ａ，３Ｂの状態）ことができる。軸体３３の先端ネジ部には操作ノブ３４が螺着してあり、軸体３３の基端周囲には歯型部材３５が固定されている。この歯形部材３５には腕部材３Ａ，３Ｂの上記基端３２に形成された歯形（図示略）が対向している。
【００１２】
このような構造により、操作ノブ３４を正転させると腕部材３Ａ，３Ｂの基端３２が軸体３３の基端方向へ押しやられてその歯形が歯形部材３５に噛合し、腕部材３Ａ，３Ｂは、ある回動角度位置で位置決めされる。操作ノブ３４を逆転させると当該ノブ３４は軸体３３の先端方向へ移動する。これにより、腕部材基端３２の歯形と軸体３３基端の歯形部材３５の噛合を解消させて腕部材３Ａ，３Ｂを軸体３３回りに回動させることが可能となる。腕部材３Ｃは基端３２が、支持ブラケット３６に立設されて踏桟２３の長手方向へ設けられた軸体３３に結合されて、梯子面に交差する面内で回動可能となっている。その他の構造は既に説明した腕部材３Ａ，３Ｂの場合と同様である。
【００１３】
このような転倒防止装置Ｅを設けた梯子Ｌを使用する場合には、腕部材３Ａ，３Ｂを、梯子面に沿う収納位置から図２に示すように、前下方へ所望角度で突出する位置へ回動させ操作ノブ３４を正転させて位置決めしておく。この状態で図３に示すように、腕部材３Ａ，３Ｂの先端３１(図２参照）を家屋の軒先Ｈの屋根上に載置して、立てかけた時に梯子Ｌが適当な角度になるようにする。その後、梯子Ｌを登って腕部材３Ｃを、梯子面に沿う収納位置から図４に示すように、前上方へ回動させてその先端３１を軒先Ｈの下壁に当接させ、操作ノブ３４（図２参照）を正転させて位置決めする。これにより、梯子Ｌは、腕部材によって軒先Ｈを上下から挟むようにして固定され、この結果、横ずれ転倒や煽り転倒が確実に防止される。
【００１４】
本実施形態によれば、梯子面に沿って収納可能な腕部材３Ａ〜３Ｃを梯子Ｌの上端部に設けることによって、簡易かつ軽量でコンパクトな梯子Ｌの転倒防止装置Ｅを実現することができる。なお、上側および下側の各腕部材の設置数は特に限定されないが、上記実施形態のように上側に二つ、下側に一つとするのが梯子の安定と確実な転倒防止に有効である。また、腕部材の位置決め構造等は上記実施形態に限定されるものではない。  
【図面の簡単な説明】
【００１５】
【図１】本発明の一実施形態を示す、転倒防止装置を設けた梯子の全体斜視図である。
【図２】梯子上端部に設けた転倒防止装置の拡大斜視図である。
【図３】梯子を建物の軒先に立てかけた状態の拡大斜視図である。
【図４】転倒防止装置で梯子を建物の軒先に固定した状態の拡大斜視図である。
【符号の説明】
【００１６】
１…下側梯子部、２…上側梯子部、３Ａ，３Ｂ，３Ｃ…腕部材、Ｅ…転倒防止装置、Ｈ…軒先、Ｌ…梯子。
【図１】
2008174914.tif 000003
【図２】
2008174914.tif 000004
【図３】
2008174914.tif 000005
【図４】
2008174914.tif 000006